(57)【特許請求の範囲】
【請求項１】
両面画情報を送信機および受信機間で送受信する両面通信を行なうファクシミリ装置において、
送受信すべき原稿表面または裏面の画情報がほぼ全白の全白画情報であるか、あるいはそれ以外の有効画情報であるかを検出する検出手段と、
前記検出手段が全白画情報を検出している場合当該原稿面の画像データの送受信を省略する両面片面混在モードを用いて原稿画像の送受信を行なう制御手段と、
受信機から送信機に対して、両面情報の受信機能の有無、および前記両面片面混在モードによる片面、両面情報の混在情報の受信機能の有無を通知する通知手段と、
送信機から受信機に対して、両面情報を送信する事、および前記両面片面混在モードにより片面、両面情報の混在情報を送信する事を指定する指定手段と、
送信機から受信機に対して、中間手順信号により、ページナンバー、面情報、および送受信する有効画情報のみをカウントした通しページ番号を通知する中間手順実行手段を有し、
前記通知手段および指定手段を介した送受信機間の交渉により前記両面片面混在モードが選択された場合、前記中間手順実行手段を介して送受信する有効画情報のみを通しページ番号としてカウントし、カウントした通しページ番号を中間手順により送受信し、受信機側で該通しページ番号の連続性を監視する事により通信エラーの有無を検出することを特徴とするファクシミリ装置。
【請求項２】
前記両面片面混在モードにおいて、送受信する有効画情報のみをカウントした通しページ番号を含む発信元情報を前記有効画情報の一部として送受信することを特徴とする請求項１に記載のファクシミリ装置。
【請求項３】
両面画情報を送信機および受信機間で送受信する両面通信を行なうファクシミリ装置の制御方法において、
送受信すべき原稿表面または裏面の画情報がほぼ全白の全白画情報であるか、あるいはそれ以外の有効画情報であるかを検出する検出ステップと、
全白画情報を検出している場合当該原稿面の画像データの送受信を省略する両面片面混在モードを用いて原稿画像の送受信を行なう制御ステップと、
受信機から送信機に対して、両面情報の受信機能の有無、および前記両面片面混在モードによる片面、両面情報の混在情報の受信機能の有無を通知する通知ステップと、
送信機から受信機に対して、両面情報を送信する事、および前記両面片面混在モードにより片面、両面情報の混在情報を送信する事を指定する指定ステップと、
送信機から受信機に対して、中間手順信号により、ページナンバー、面情報、および送受信する有効画情報のみをカウントした通しページ番号を通知する中間手順実行ステップを含み、
前記通知ステップおよび指定ステップを介した送受信機間の交渉により前記両面片面混在モードが選択された場合、前記中間手順実行ステップを介して送受信する有効画情報のみを通しページ番号としてカウントし、カウントした通しページ番号を中間手順により送受信し、受信機側で該通しページ番号の連続性を監視する事により通信エラーの有無を検出することを特徴とするファクシミリ装置の制御方法。
【請求項４】
前記両面片面混在モードにおいて、送受信する有効画情報のみをカウントした通しページ番号を含む発信元情報を前記有効画情報の一部として送受信するための制御ステップを含むことを特徴とする請求項３に記載のファクシミリ装置の制御方法。
【請求項５】
両面画情報を送信機および受信機間で送受信する両面通信を行なうファクシミリ装置の制御プログラムにおいて、
送受信すべき原稿表面または裏面の画情報がほぼ全白の全白画情報であるか、あるいはそれ以外の有効画情報であるかを検出するステップと、
全白画情報を検出している場合当該原稿面の画像データの送受信を省略する両面片面混在モードを用いて原稿画像の送受信を行なう制御ステップと、
受信機から送信機に対して、両面情報の受信機能の有無、および前記両面片面混在モードによる片面、両面情報の混在情報の受信機能の有無を通知する通知ステップと、
送信機から受信機に対して、両面情報を送信する事、および前記両面片面混在モードにより片面、両面情報の混在情報を送信する事を指定する指定ステップと、
送信機から受信機に対して、中間手順信号により、ページナンバー、面情報、および送受信する有効画情報のみをカウントした通しページ番号を通知する中間手順実行ステップを含み、
前記通知ステップおよび指定ステップを介した送受信機間の交渉により前記両面片面混在モードが選択された場合、前記中間手順実行ステップを介して送受信する有効画情報のみを通しページ番号としてカウントし、カウントした通しページ番号を中間手順により送受信し、受信機側で該通しページ番号の連続性を監視する事により通信エラーの有無を検出することを特徴とするファクシミリ装置の制御プログラム。
【請求項６】
前記両面片面混在モードにおいて、送受信する有効画情報のみをカウントした通しページ番号を含む発信元情報を前記有効画情報の一部として送受信するための制御ステップを含むことを特徴とする請求項５に記載のファクシミリ装置の制御プログラム。
【発明の詳細な説明】
【０００１】
【発明の属する技術分野】
本発明は、両面画情報を送信機および受信機間で送受信する両面通信を行なうファクシミリ装置、その制御方法、およびその制御プログラムに関するものである。
【０００２】
【従来の技術】
従来のファクシミリ装置は、片面情報の原稿を送信して、片面に記録する動作が基本となっていた。旧来のＩＴＵ−Ｔ勧告Ｔ４、あるいはＴ３０などではこの片面通信のみが記述されていた。
【０００３】
一方で、最近は省資源化に関する意識が高まっており、プリンタや複写機などにおいては、１枚の紙の表面と裏面に記録を行なういわゆる両面記録方式を有するものが増えつつある。これに伴ない、両面ファクシミリ通信に関する規格が２０００年の２月にＩＴＵ−Ｔで勧告化された。
【０００４】
新しいＩＴＵ−Ｔ勧告Ｔ．３０（あるいはその試案）では、両面画情報の伝送方式として原稿表面の画像、裏面の画像を各ページについて交互に送信する両面交互伝送（交互モード）、あるいは原稿表面の画像全部を送信し、続いて裏面の画像全部を送信する両面連続伝送（連続モード）などが定義されている。
【０００５】
【発明が解決しようとする課題】
新しいＩＴＵ−Ｔ勧告Ｔ．３０（あるいはその試案）における両面通信は、原稿が両面原稿である、つまり、原稿の両面に必ず有意な画像が含まれていることを前提としており、両面原稿と片面原稿（たとえば裏面が全白情報である）が混在している場合でも、必ず片面原稿の裏面情報を送信するフェーズ（中間手順および全白画像の送信手順）を実行しなければならない。
【０００６】
そこで、通信効率を改善するため、何らかの方法で、片面原稿の裏面情報を送信するための中間手順および全白画像の送信手順を省略することも考えられるが、通信の互換性を低下させたり、また、予期しない通信エラーを生じる恐れがある。
【０００７】
たとえば、勧告Ｔ．３０の両面通信では、送信側から画像データに続いて送信されるＱ信号（ＭＰＳ、ＥＯＰ、ＰＰＳ−ＭＰＳ、ＰＰＳ−ＥＯＰなど）を用いてページ番号（Ｐａｇｅ  Ｎｕｍｂｅｒ：１枚目の表が１、１枚目の裏が２…のように原稿表裏の画像に順次付与される）と面情報（Ｓｉｄｅ：ＰＰＳ−Ｑに対応した画像データが表：０の画像か裏：１の画像かを示す）の情報が送信される。
【０００８】
したがって、送信側で全白面など任意の面の画像を送信しないような仕様を採用しても、受信側ではページ番号と面情報を用いて画像を記録すべきページ位置や記録面を決定できそうに思われる。しかし、このように送信側で全白面などの画像を送信しないようスキップする事、あるいは、ページ番号に不連続性があっても受信側はそれを許容すべきである事などは、勧告Ｔ．３０には明示的に定義されておらず、実際の通信で全ての受信機が正常に動作できるとは限らない。
【０００９】
一方、従来より発信元情報を受信側で記録させる技術が知られている。この発信元情報は、通信日時、発信局の識別番号（電話番号、メールアドレスなど）、発信局の名称（あるいはユーザ定義の任意の文字列など）、ページ番号などをキャラクタジェネレータなどを用いて画像として生成し（多くは発信側でこの画像データ生成を行なう）、記録紙の先頭部分などに記録するもので、その記録位置からヘッダ情報などと呼ばれることもある。
【００１０】
この発信元情報の記録と、片面原稿でも形式上は全白面であっても送信を行なわなければならない上記のＩＴＵ−Ｔ勧告Ｔ．３０の仕様を考えあわせると、全白面においても記録紙に発信元情報を記録するような仕様となる。しかし、仕様上は自然であっても、白紙の面にも発信元情報が記録されていると受信側ユーザに奇異な印象を与える、という問題がある。
【００１１】
本発明の課題は、確実に片面／両面混在の原稿画像を送受信できるようにし、また、片面／両面混在の原稿画像であっても、受信側ユーザに奇異な印象を与えることのない自然な発信元情報を記録できるようにすることにある。
【００１２】
【課題を解決するための手段】
上記の課題を解決するため、本発明によれば、両面画情報を送信機および受信機間で送受信する両面通信を行なうファクシミリ装置、その制御方法、およびその制御プログラムにおいて、送受信すべき原稿表面または裏面の画情報がほぼ全白の全白画情報であるか、あるいはそれ以外の有効画情報であるかを検出し、全白画情報を検出している場合当該原稿面の画像データの送受信を省略する両面片面混在モードを用いて原稿画像の送受信を行ない、その場合、受信機から送信機に対して、両面情報の受信機能の有無、および前記両面片面混在モードによる片面、両面情報の混在情報の受信機能の有無を通知する通知手段（あるいは通知ステップ）と、送信機から受信機に対して、両面情報を送信する事、および前記両面片面混在モードにより片面、両面情報の混在情報を送信する事を指定する指定手段（あるいは指定ステップ）と、送信機から受信機に対して、中間手順信号により、ページナンバー、面情報、および送受信する有効画情報のみをカウントした通しページ番号を通知する中間手順実行手段（あるいは中間手順実行ステップ）を含み、前記通知手段および指定手段を介した送受信機間の交渉により前記両面片面混在モードが選択された場合、前記中間手順実行手段を介して送受信する有効画情報のみを通しページ番号としてカウントし、カウントした通しページ番号を中間手順により送受信し、受信機側で該通しページ番号の連続性を監視する事により通信エラーの有無を検出する構成を採用した。
【００１５】
あるいはさらに、前記両面片面混在モードにおいて、送受信する有効画情報のみをカウントしたページ番号を含む発信元情報を前記有効画情報の一部として送受信する構成を採用した。
【００１６】
【発明の実施の形態】
以下、図を参照して本発明の実施の形態を説明する。
【００１７】
図１は、本発明を採用したファクシミリ装置のハードウェア構成を示している。図１において符号２は、ＮＣＵ（網制御装置）で、電話網をデータ通信等に使用するためにその回線の端末に接続し、電話交換網の接続制御を行なったり、データ通信路への切り替えを行なったり、ループの保持を行なったりするものである。ＮＣＵ２は、バス２６からの制御に応じて電話回線２ａを電話機４側に接続する（ＣＭＬオフ）か、電話回線２ａをファクシミリ装置側に接続する（ＣＭＬオン）。通常状態では、電話回線２ａは電話機４側に接続されている。
【００１８】
符号６はハイブリッド回路で、送信系の信号と受信系の信号とを分離し、加算回路１２からの送信信号をＮＣＵ２経由で電話回線２ａに送出し、相手側からの信号をＮＣＵ２経由で受け取り、信号線６ａ経由で変復調器８に送るものである。
【００１９】
符号８は変復調器であり、ＩＴＵ−Ｔ勧告Ｖ．８、Ｖ．２１、Ｖ．２７ｔｅｒ、Ｖ．２９、Ｖ．１７、Ｖ．３４に基づいた変調及び復調を行なう。変復調器８は、バス２６からの送信信号を入力し、変調データを信号線８ａに出力し、信号線６ａに出力されている受信信号を入力し、復調データをバス２６に出力する。その際用いられる上記の各伝送モードはバス２６を介して指定される。
【００２０】
符号１０は、発呼回路であり、バス２６からの制御に応じて、電話番号情報を入力し、信号線１０ａにＤＴＭＦ形式の選択信号を出力する。
【００２１】
符号１２は、加算回路であり、信号線８ａの情報と信号線１０ａの情報を入力し、加算した結果を信号線１２ａに出力する。
【００２２】
符号１４は、原稿の両面から画情報を読み取ることができる読取回路であり、光学読取素子および原稿搬送系から構成され、読み取りデータをバス２６に出力する。本実施形態では、読取回路１４の原稿搬送系は、原稿の表、裏を反転しつつ１枚目の表、裏、２枚目の表、裏…の順で原稿両面から読み取りを行なう構成を前提とする。
【００２３】
符号１６は、両面情報を記録可能な記録回路であり、バス２６に出力されている情報を順次１ライン毎に記録する。記録回路１６は、レーザビームプリンタなどの記録機構を有し、記録紙反転機構（不図示）などを用いて記録紙両面に画像記録を行なえるよう構成される。
【００２４】
符号１８は、メモリ回路であり、ＲＡＭ（あるいはハードディスクドライブなどのような読み書き可能なメモリ）を含み、後述のＣＰＵ２２のワーク領域として用いられる。読み取った、あるいは受信した画像データを生データ、あるいは符号化データの形式で格納する他、他の制御データも格納される。メモリ回路１８へのアクセスはバス２６を介して行なわれる。
【００２５】
符号２０は、操作部であり、ワンタッチダイヤル、短縮ダイヤル、テンキー、＊キー、＃キー、スタートキー、ストップキー、セットキー、両面送信選択キー、その他のファンクションキーがあり、これらのキーの操作情報はバス２６に出力される。操作部２０には、ＬＣＤなどの表示素子から成る表示部が設けられており、装置の動作状態をモニタしたり、各種の設定を行なうユーザーインターフェースに用いられる。操作部２０のアクセスはバス２６を介して行なわれる。
【００２６】
符号２２は、ＣＰＵ（中央処理装置）であり、ファクシミリ全体の動作を制御するとともに、ファクシミリ伝送制御手順を実行するが、その制御プログラムは、ＲＯＭ２４に格納される。符号２６はＣＰＵ２２のバスで、アドレスバス、データバスから構成される。
【００２７】
まず、本実施形態の両面通信の概要につき説明する。
【００２８】
本実施形態では、原稿表面の画像、裏面の画像を各ページについて交互に送信する両面交互伝送（交互モード）、あるいは原稿表面の画像全部を送信し、続いて裏面の画像全部を送信する両面連続伝送（連続モード）の双方をサポートし、そのいずれにおいても、任意の面（表、裏）の画像の送受信をスキップできるようにする。この機能は、たとえば全白面などの画情報伝送をスキップすることにより伝送効率を向上させるために利用できるもので、以下では「両面片面混在モード」のように表現する。
【００２９】
本実施形態の両面片面混在モードにおいては、Ｑ信号で送信すべきページナンバー（Ｐａｇｅ  Ｎｕｍｂｅｒ）と面情報（Ｐａｇｅ  Ｉｎｆｏｒｍａｔｉｏｎとして送信されるＳｉｄｅ、すなわち表：０、裏：１の情報）は、スキップした面においてもそれぞれ歩進させる。
【００３０】
送信側はスキップした面についてはＱ信号を送信しないので、結果としてページナンバーおよび面情報には不連続性が生じるが、下記の両面片面混在モードの宣言と、「通しページナンバー」（通し番号）と合せてＱ信号のページナンバーおよび面情報の情報を利用することにより、受信側では記録すべきページ位置、および記録面を正しく決定することができる。
【００３１】
また、本実施形態の両面片面混在モードは、送受信機がＤＩＳ／ＤＴＣ／ＤＣＳのような手順信号において明示的に宣言しあう（後述のＹおよびＹ＋１ビットによる）ものとし、この宣言が無い場合は実行しない。このような明示的な宣言なしにＱ信号により不連続性を有するページナンバーおよび面情報を送信すると上述したように意図しない通信エラーを生じる可能性を否定できないからである。
【００３２】
さらに、本実施形態では、スキップせずに有効画像として送信する画像データに対応して順次歩進して「１、２、３…」のように不連続性なしに付与される（表か裏かは問わない）。通しページナンバー（通し番号）をＱ信号に含める。本実施形態の両面片面混在モードが宣言された場合、受信側では、この通しページナンバーの状態を監視することにより、ページナンバーおよび面情報の不連続性があっても、エラーにより画像データやＱ信号に抜けが生じたものではない事を確認することができる。
【００３３】
本実施形態で用いられる手順信号フォーマットおよび通信シーケンスを図２、図３、図４〜図７に示す。
【００３４】
図２はＤＩＳ（デジタル識別：画像受信局から送信される）、ＤＴＣ（デジタル送信命令：画像送信局から送信される）、およびＤＣＳ（デジタル命令：画像送信局から送信される）の各信号のＦＩＦ（ファクシミリ情報フィールド）における両面伝送を指定する情報の構成を表形式で示したものである。
【００３５】
図２に示すように、ＤＩＳ／ＤＴＣ信号では、ＦＩＦのＸビット（図中ではビット数は「Ｘ」により示されているが実際には１１３）目により、交互モードでの両面記録機能の有無を表し、ＦＩＦのＸ＋１（同１１４）ビット目により、連続モードでの両面記録機能の有無を表す。また、ＤＣＳ信号においては、ＦＩＦのＸ（同１１３）ビット目により、交互モードでの両面送信を指定し、ＦＩＦのＸ＋１（同１１４）ビット目により、連続モードでの両面送信を指定する（Ｘ＋１ビットを１とする時はＸビットも１にする必要がある）。
【００３６】
上のＸおよびＸ＋１ビットは勧告Ｔ．３０に既に記載されたものであるが、本実施形態では、さらに上記のＤＩＳ／ＤＴＣ／ＤＣＳのＸおよびＸ＋１ビットにそれぞれ対応して、本実施形態の両面片面混在モードを宣言するためＹおよびＹ＋１ビット（ビット位置は任意）を設ける。ＤＩＳ／ＤＴＣ／ＤＣＳにおいてＹビットは交互モードにおける両面片面混在モードを、また、Ｙ＋１ビットは連続性モードにおける両面片面混在モードをそれぞれ宣言する（ＸおよびＸ＋１ビットと同様、Ｙ＋１ビットを１とする時はＹビットも１にするものとする）。
【００３７】
図３は、ノーマルＧ３伝送でのＱ信号（具体的にはＥＯＰ（ページ終了）あるいは、ＭＰＳ（マルチページ）、あるいはＥＯＭ（メッセージ終了）信号など）、また、ＥＣＭ（エラー訂正モード）伝送でのＰＰＳ−Ｑ信号（具体的にはＰＰＳ−ＥＯＰ、あるいは、ＰＰＳ−ＭＰＳ、あるいはＰＰＳ−ＥＯＭ、あるいはＰＰＳ−ＮＵＬＬなどのポストメッセージ信号）のフレーム構成を示している。
【００３８】
図３のように、これらのポストメッセージ信号では、Ｆｌａｇ（フラグ）、Ａｄｄｒｅｓｓ（アドレス）、Ｃｏｎｔｒｏｌ（制御データ）、ＦＣＦ（ファクシミリ制御フィールド）に続き、ファクシミリ情報が送信される。ファクシミリ情報の先頭では、ＥＣＭの場合のみＰＣ（ページカウンタ）、ＢＣ（ブロックカウンタ）、ＦＣ（フレームカウンタ）の３つのフィールドが送信され、その後に両面伝送関係のファクシミリ情報が続く。両面伝送関係のファクシミリ情報は、Ｌｅｎｇｔｈ（続くＰａｇｅ  ｎｕｍｂｅｒ（２オクテット）とＰａｇｅ  ｉｎｆｏｒｍａｔｉｏｎ（現在は１オクテット）の合計オクテット数）、Ｐａｇｅ  ｎｕｍｂｅｒ（ページナンバー：２オクテット）、Ｐａｇｅ  ｉｎｆｏｒｍａｔｉｏｎ（ページ情報）が続く。
【００３９】
以上は、勧告Ｔ．３０に既に記載されたものであるが、本実施形態では、上記の通しページナンバー（以下では「通しＰＮ」とも表記する）のフィールドが続き、さらにその後にＦＣＳ（フレームチェックシーケンス）、Ｆｌａｇ（フラグ）が続く。通しページナンバーのフィールドは１〜２オクテットの適当な幅とする。
【００４０】
上記のうち、Ｐａｇｅ  ｎｕｍｂｅｒ（ページナンバー：ＰＮとも表記する）は、規約上、両面原稿をページ順に表面、裏面と送信する際、表、裏の各面ごとに「１」から１ページずつ加算される。また、Ｐａｇｅ  ｉｎｆｏｒｍａｔｉｏｎ（ページ情報）は、データ幅１オクテットで、その面の画情報が表であるか裏であるかを示し、ｂｉｔ０により表面（０）か裏面（１）を表現する（Ｓｉｄｅ：面情報）。当面、ビット１〜６は予約ビットで機能は定義されておらず、ビット７は拡張ビットとして常時０にセットされる。
【００４１】
また、通しページナンバーは、上述のようにスキップせずに有効画像として送信する画像データに対応して順次歩進して「１、２、３…」のように不連続性なしに付与する。
【００４２】
なお、ノーマルＧ３通信にて使用するＱ信号には、ＰＣ、ＢＣ、ＦＣは含まれず、ＥＣＭ通信にて使用するＰＰＳ−Ｑ信号でのみ使用される。
【００４３】
図２３は、本実施形態による両面伝送の様子を示したものである。図２３は、３枚の原稿を送信する際、１枚目の裏と２枚目の表（全白であるものとする）の２面の画信号の送信をスキップする時の様子を示している。１枚目の裏と２枚目の表以外は全白ではなく、有効画像としてＱ信号とともに送信される。
【００４４】
図２３の各有効画像の下に（１，０，１）のように示されているのは、交互モードにおいてその面の画像について送信される（ページナンバー，面情報，通しページナンバー）に相当する。また、＜１，０，１＞のように示されているのは、連続モードにおいてその面の画像について送信される＜ページナンバー，面情報，通しページナンバー＞に相当する。
【００４５】
また、図２３の各有効画像の右肩には１／４〜４／４の表示があるが、これらは交互モードの伝送において上述の通しページナンバーを利用して受信側で生成され発信元情報の一部としてプリントされるヘッダ情報である。１／４〜４／４の分子は上述の通しページナンバー、分母は受信した総ページ数（最後の通しページナンバーに一致）である。また、＜３／４＞のように示されているのは、同様にして連続モードの伝送において生成され発信元情報の一部としてプリントされるヘッダ情報である。これらヘッダ情報の数字の順序が交互モードのものと異なっているのは、後述のように連続モードでは交互モードと原稿面の画像の送信順序が異なるためである。
【００４６】
図４〜図７に本実施形態の両面片面混在モードの通信の様子を示す。図４〜図７では、図２３の３枚の原稿を１枚目の裏と２枚目の表をスキップして送信する場合の信号シーケンスを示し、図４は、ノーマルＧ３モードにおける交互モードでの両面片面混在モードによる伝送の様子を、図５はＥＣＭ通信モードにおける交互モードでの両面片面混在モードによる伝送の様子を、図６はノーマルＧ３モードにおける連続モードでの両面片面混在モードによる伝送の様子を、図７はＥＣＭ通信モードにおける連続モードでの両面片面混在モードによる伝送の様子をそれぞれ示している。
【００４７】
図４〜図７のように、ＤＩＳ信号のＸおよびＸ＋１ビットにより受信機の両面伝送機能（交互および連続のいずれも可）が示され、ＤＣＳ信号のＸおよびＸ＋１ビットにより、送信機がこれから実行しようとする両面伝送モードが宣言される。図６、図７の連続モードでは、ＤＣＳ信号のＸ＋１ビットを１とすることにより連続モードでの送信を行なうことが宣言されている。さらに、本実施形態では、交互ないし連続モードのそれぞれにおいて両面片面混在モードを指定するために、ＹおよびＹ＋１ビットがＸおよびＸ＋１ビットと同じ状態にそれぞれセットされる（ＹおよびＹ＋１ビットの状態はＸおよびＸ＋１ビットと同一なので図４〜図７では図示を省略してある）。
【００４８】
また、図４、図６に示すように、ノーマルモードの場合はポストメッセージ信号としてＭＰＳ信号が、また、図５、図７に示すように、ＥＣＭの場合はポストメッセージ信号としてＰＰＳ−ＭＰＳ信号が用いられる。
【００４９】
ここでは３枚の両面原稿が送信されており、各図中の「ＰＮ」は上記のＰａｇｅ  Ｎｕｍｂｅｒを示している。
【００５０】
たとえば、図４（交互モード）に符号４１で示したＭＰＳ信号は、「ＭＰＳ（ＰＮ＝１，０（ｆｒｏｎｔ  ｓｉｄｅ））」と図示されているが、これは、ページ番号１（ＰＮ＝１）、表面（０（ｆｒｏｎｔ  ｓｉｄｅ））の画情報を送信したことを示している（図４以降のＭＰＳあるいはＰＰＳ−ＭＰＳ信号の表記は上記と同趣である）。
【００５１】
すなわち、図４および図５の交互モードでは、１枚目（ＰＮ＝１）の表（０）、２枚目（ＰＮ＝４）の裏（１）、３枚目（ＰＮ＝５）の表（０）、３枚目（ＰＮ＝６）の裏（１）の順で原稿の画情報が送信されている。
【００５２】
また、図６および図７の連続モードでは、１枚目（ＰＮ＝１）の表（０）、３枚目（ＰＮ＝５）の表（０）、２枚目（ＰＮ＝４）の裏（１）、３枚目（ＰＮ＝６）の裏（１）の順で原稿の画情報が送信されている。
【００５３】
また、図４〜図７のいずれにおいても、通しページナンバー（通しＰＮ）は、送信した順に１、２、３…と歩進している。
【００５４】
次に、本実施形態のファクシミリ通信を行なうためにＣＰＵ２２で実行すべき通信制御を図８〜図２０、および図２１、図２２に示す。図８〜図２２は本実施形態の通信制御を実現するためのＣＰＵ２２の処理の流れをフローチャート図として示したもので、図８〜図２２の同一番号の個所はそれぞれの位置で連続しているものとする。図８〜図２２の制御手順はＣＰＵ２２のプログラムとしてＲＯＭ２４に格納しておく。
【００５５】
図２１および図２２は、図８〜図２０に詳細に示した制御手順の全体の流れを概略的に示したものである。まず、図２１および図２２により、制御手順の全体の流れを説明する。以下の図２１および図２２の説明の文章に括弧書きで付したステップ番号は後述の図８〜図２０のステップ番号である。
【００５６】
図２１において、ステップＳ３００は、所定のリセット操作などにより開始される処理の始めを示している。
【００５７】
処理開始後、ステップＳ３０２で、メモリ回路１８、および装置各部のイニシャライズを行なう（ステップＳ２からステップＳ４）。さらに、ステップＳ３０４では、ＮＣＵ２のＣＭＬをオフする（図８ステップＳ６）。
【００５８】
ステップＳ３０６、Ｓ３０８ではファクシミリ送信／受信のいずれが選択されたかを判定する。送信の際はステップＳ３１４へ、受信の場合はステップＳ３１０へ、送受信以外の処理の場合はステップＳ３１２に移行する（図８ステップＳ８、Ｓ１０）。
【００５９】
ファクシミリ受信の場合はステップＳ３１０でファクシミリ受信制御を行なう（図１９ステップＳ１８６〜Ｓ２０６）。送信／受信以外の場合はステップＳ３１２でその他の処理（原稿画像のコピーなど）を実行する（図８ステップＳ１２）。これらの処理の後ステップＳ３０４に復帰する。
【００６０】
送信の場合は、ステップＳ３１４で両面送信モードで送信するか、あるいはステップＳ３１８で片面情報を両面片面混在モードを用いて送信を行なうか否かをそれぞれ判断する（図８ステップＳ１４、Ｓ１６）。図２１においてステップＳ３１４、ステップＳ３１８はユーザの明示的な指定操作による指定を判断することを考えているが、実際には以下の処理では共通の制御フローにより両面送信モード、ないし両面片面混在モードを取り扱うようになっている。
【００６１】
両面送信を行なう場合、ステップＳ３１６で読取回路１４による両面原稿情報の読み取り、符号化、メモリ回路１８への格納を行ない（図８ステップＳ２０〜図９ステップＳ４２）、ステップＳ３２２で相手局を発呼しファクシミリ前手順を実行する（図９ステップＳ４４〜Ｓ４８）。
【００６２】
両面片面混在モードの送信の場合はステップＳ３２０で読取回路１４による片面情報の読み取り、符号化、メモリ回路１８への格納を行ない（図８ステップＳ１８、図８ステップＳ２２〜図９ステップＳ４２）、ステップＳ３２２の発呼に向かう。
【００６３】
片面送信の場合はステップＳ３２４において片面情報の送信（ステップＳ１３８）を実行し（図８ステップＳ１６）、ステップＳ３０４に復帰する。
【００６４】
ステップＳ３２６では、原稿の表面、あるいは裏面に全白情報があるか否かを判断する。全白情報がある場合は図２２のステップＳ３２８に進み、ない場合は図２２のステップＳ３３４に進む（図９ステップＳ５０）。
【００６５】
原稿のいずれかの面に全白情報がある場合は図２２のステップＳ３２８において交互モード送信が選択されたか否かを判断する。同ステップが肯定された場合にはステップＳ３３０に進み、同ステップが否定された場合にはステップＳ３４０に進む（図１０ステップＳ５２）。
【００６６】
ステップＳ３３０では、受信側から得たＤＩＳ信号のＦＩＦのＹビットは１であるか否か、すなわち本発明の両面片面混在モードを受信側がサポートしているか否かを判断する（図１０ステップＳ５４）。同ステップが肯定された場合にはステップＳ３３２に進み、交互モードでの片面、両面混在送信を実行（図１１ステップＳ６８、図１４ステップＳ１３０）し、ステップＳ３０４に復帰する。ステップＳ３３０が否定された場合にはステップＳ３３４に進む。
【００６７】
受信側から得たＤＩＳ信号のＦＩＦのＹビットが１ではない、つまり、本発明の両面片面混在モードを受信側がサポートしていない場合にはステップＳ３３４において、ＤＩＳ信号のＦＩＦのＸビットは１であるか否か（標準の両面通信をサポートしているか否か）を判断（図１４ステップＳ１３２）する。ステップＳ３３４が肯定された場合にはステップＳ３３６に進み、標準の方式により両面通信を実行（図１４ステップＳ１３４）し、ステップＳ３０４に復帰する。ステップＳ３３４が否定された場合にはステップＳ３３８において有効画情報を片面通信モードにより送信（図１４ステップＳ１３６）し、ステップＳ３０４に復帰する。
【００６８】
ステップＳ３２８で連続モードが選択されている場合にはステップＳ３４０で受信側から得たＤＩＳ信号のＦＩＦのＹ＋１ビットは１であるか否かを判断する（図１０ステップＳ５６）。
【００６９】
ステップＳ３４０が肯定された場合にはステップＳ３４２に進み、連続モードを使って両面片面混在モードの送信を実行（図１０ステップＳ５８〜図１９ステップＳ１８４）し、同ステップが否定された場合には上記のステップＳ３３０に進む。
【００７０】
続いて、上記の処理を図８〜図２０を用いて詳細に説明する。
【００７１】
図８において、ステップＳ０は、所定のリセット操作などにより開始される処理の始めを示している。
【００７２】
ステップＳ２では、バス２６を介してメモリ回路１８をイニシャライズし、ステップＳ４では、バス２６を介して、操作部２０の表示部をイニシャライズ（クリア）する。
【００７３】
ステップＳ６では、バス２６を介してＮＣＵ２のＣＭＬをオフとし、回線２ａを電話機４側に接続する。
【００７４】
ステップＳ８では、バス２６を介して操作部２０の操作情報を入力し、ファクシミリ送信が選択されたか否かを判断し、ファクシミリ送信が選択されている場合にはステップＳ１４に進み、ファクシミリ送信が選択されていなければステップＳ１０に進む。
【００７５】
ステップＳ１０では、ファクシミリ受信が選択されたか否かを判断し、ファクシミリ受信が選択されている場合は図１９のステップＳ１８６に進み、ステップＳ１０が否定された場合にはステップＳ１２に進み、その他の処理（原稿画像のコピーなど）を実行する。
【００７６】
送信の場合、まずステップＳ１４においてバス２６を介して操作部２０の情報を入力し、両面原稿の送信が選択されたか否かを判断する。ステップＳ１４が肯定された場合には、ステップＳ２０に進み、否定された場合にはステップＳ１６に進む。
【００７７】
ステップＳ１４が否定された場合、ステップＳ１６で片面情報を両面片面混在モードで送信することが選択されているか否かを判断する。ステップＳ１６が肯定された場合にはステップＳ１８に進む。
【００７８】
ステップＳ１６が否定された場合にはステップＳ１３８（図１４）に進み、公知の片面手順により画像データを送信し、ステップＳ６に復帰する。この片面送信では、画信号のあるページ情報のみを送信するようにしてもよい。
【００７９】
ステップＳ１８では片面フラグ（図中では片面ＦＬＧと表記）に１をセットする。この片面フラグは、片面情報を両面片面混在モードで送信する場合１に、両面送信を行なう場合は０にセットする。片面フラグの記憶領域はメモリ回路１８などを用いて割り当てられる（以下のフラグやカウンタも同様である）。
【００８０】
一方、ステップＳ１４が肯定された場合、ステップＳ２０において片面フラグに０をセットする。
【００８１】
ステップＳ２２では、（読取枚数カウンタＫ、面フラグ）の組合せに（１、表）をセットする。
【００８２】
ステップＳ２６では、読取回路１４により、読取枚数カウンタＫ、および面フラグの示す原稿面の画情報を読み取り、メモリ回路１８の画像メモリ領域に格納する。
【００８３】
図９のステップＳ２８では、ステップＳ２６で読み取った原稿画像がほぼ全白（有効画情報ではない）であるか否かを判定する。これは、たとえば黒ドット数が占めるパーセンテージが０．１％（この基準値は当業者で任意に定めればよい）以下であるか否かを判断することなどにより行なう。ステップＳ２８が肯定された場合にはステップＳ３０に進み、否定された場合にはステップＳ３２に進む。
【００８４】
ステップＳ３０では、読取枚数カウンタＫ、面フラグに対応し、その面の状態（全白か否か）を記憶するための所定の記憶領域にその面が全白情報である旨の情報を記憶させる。
【００８５】
ステップＳ３２では、面フラグの値が「裏」か否かを判定する。面フラグの値が「裏」であればステップＳ３８に、面フラグの値が「裏」でなければステップＳ３４に移行する。
【００８６】
ステップＳ３４では、片面フラグが０であるか否かを判断し、片面フラグが０であればステップＳ３６に進み、片面フラグが０でなければステップＳ３８に進む。
【００８７】
ステップＳ３６では面フラグに裏をセットし、その裏面の読み取りのため、図８のステップＳ２６にループする。
【００８８】
ステップＳ３４で片面フラグが１の場合、ステップＳ３８で、次ページがあるか否かを判断し、同ステップが肯定された場合にはステップＳ４０に進み、同ステップが否定された場合にはステップＳ４４に進む。
【００８９】
ステップＳ４０では面フラグに表をセットし、ステップＳ４２では、読取枚数カウンタＫの値を１つインクリメントする。
【００９０】
ステップＳ４４では、バス２６を介して、ＮＣＵ２のＣＭＬをオンとし、回線２ａをファクシミリ装置側（ハイブリッド回路６側）に接続する。
【００９１】
ステップＳ４６では、バス２６を介して発呼回路１０を制御し、指定された宛先へ発呼する。宛先は操作部２０のテンキーやワンタッチキーなどにより指定されるものとする。
【００９２】
ステップＳ４８ではファクシミリ前手順を実行する。
【００９３】
ステップＳ５０では、ステップＳ３０で格納した全白情報を調べ、送信すべき画像データの表面、あるいは、裏面に全白情報があるか否かを判断する。ステップＳ５０が肯定された場合にはステップＳ５２（図１０）に進み、ステップＳ５０が否定された場合にはステップＳ１３２（図１４）に進む。
【００９４】
図１０のステップＳ５２では、操作部２０の操作状態（あるいはそれを記憶するレジスタ）を調べ、交互モード送信が選択されたか否かを判断する。交互モード送信が選択されている場合はステップＳ５４に進み、交互モード送信が選択されていない場合にはステップＳ５６に進む。
【００９５】
ステップＳ５４、Ｓ５６では、本発明の両面片面混在モードに関する受信側から取得したＤＩＳ信号のＦＩＦのＹ／Ｙ＋１ビットを判定する。
【００９６】
まずステップＳ５４では、ステップＳ４８のファクシミリ前手順で受信側から取得したＤＩＳ信号のＦＩＦのＹビットが１であるか否かを判断する。ステップＳ５４が肯定された場合にはステップＳ６８（図１１）に進み、同ステップが否定された場合にはステップＳ１３２（図１４）に進む。
【００９７】
ステップＳ５６では、ＤＩＳ信号のＦＩＦのＹ＋１ビットは１であるか否かを判断する。ステップＳ５６が肯定された場合にはステップＳ５８に進み、否定された場合にはステップＳ５４に進む。ステップＳ５８〜Ｓ６６については図１５のフローとともに後述する。
【００９８】
一方、ステップＳ５４が肯定された場合、すなわち、交互モードにおいてＤＩＳのビットＹが１の場合は、本発明の両面片面混在モード（連続モード）を用いる。この場合は図１１のステップＳ６８において残りのファクシミリ前手順を実行し、ここでＤＣＳ信号のＦＩＦのＹビットを１とする（Ｙ＋１ビットは０）。
【００９９】
ステップＳ７０では、（送信枚数カウンタＬ、面フラグ）の組み合せに（１、表）をセットする。
【０１００】
ステップＳ７２では、総ページ数のレジスタに（２Ｌ−全白のページ数）をセットする。
【０１０１】
ステップＳ７４では、ページカウンタ（発信元情報に付加するページ数をカウントするカウンタ）に１をセットする。
【０１０２】
ステップＳ７６では、Ｑ信号（あるいはＰＰＳ−Ｑ信号）で使用する通しぺージナンバーに１をセットする。
【０１０３】
ステップＳ７８では、ページナンバー（Ｑ信号あるいはＰＰＳ−Ｑ信号で使用するＰＮ）に１をセットする。
【０１０４】
ステップＳ８２では、（送信枚数カウンタＬ、面フラグ）が示す画情報は全白であるか否かを判断する。ステップＳ８２が肯定された場合にはステップＳ８８（図１２）に進み、同ステップが否定された場合にはステップＳ８４に進む。
【０１０５】
ステップＳ８４では、（送信枚数カウンタＬ、面フラグ）が示す画情報を受信側に送信する。この際、発信元情報としては、「ページカウンタの値のページ数／総ページ数」のヘッダ（図２３参照）を生成して送信する。
【０１０６】
ステップＳ８６では、面フラグが表であるか否かを判断する。面フラグが表である場合はステップＳ１００（図１３）に進み、裏である場合にはステップＳ１１２（図１３）に進む。
【０１０７】
ステップＳ８２で全白面が検出されている場合は、図１２のステップＳ８８において面フラグが表であるか否かを判断する。面フラグが表である場合はステップＳ９０に進み、面フラグが裏である場合はステップＳ９４に進む。
【０１０８】
ステップＳ９０では、面フラグに裏をセットし、ステップＳ９２では、ページナンバーの値を１つインクリメントし、ステップＳ８２（図１１）にループする。
【０１０９】
ステップＳ８８で面フラグが裏である場合は、ステップＳ９４で処理すべき次ページがあるか否かを判断し、次ページがあればステップＳ９６に進み、次ページがなければステップＳ１１４（図１３）に進む。
【０１１０】
ステップＳ９６では、面フラグに表をセットし、ステップＳ９８では、Ｌの値を１つインクリメントし、さらに上記ステップＳ９２でページナンバーの値を１つインクリメントしてから、ステップＳ８２（図１１）にループする。
【０１１１】
ステップＳ８６で面フラグが表であった場合には図１３のステップＳ１００において（ＰＰＳ−）ＭＰＳ信号を送信する。ここでは、図３のフォーマットによりページナンバー（ＰＮ）、面情報（Ｓｉｄｅ）、および本発明の通しページナンバーを通知する。ステップＳ１０２では残りの中間手順を行なう。
【０１１２】
ステップＳ１０４、Ｓ１０６、Ｓ１０８ではページカウンタ、ページナンバ、および通しページナンバーをそれぞれ１づつインクリメントし、ステップＳ１１０では面フラグに裏をセットし、ステップＳ８２（図１１）にループする。
【０１１３】
ステップＳ１１２では、送信枚数カウンタＬは読取枚数カウンタＫ（既に確定済み）以上であるか否かを判定する。つまり、読み取った枚数分の原稿画像を送信したか否かを判定する。ステップＳ１１２が肯定された場合にはステップＳ１１４に進み、同ステップが否定された場合にはステップＳ１１８に進む。
【０１１４】
送信画像が残っていない場合は、ステップＳ１１４でＱ信号として（ＰＰＳ−）ＥＯＰ信号の送信を実行する。ここでは、ページナンバー、面情報、および本発明の通しページナンバーを通知する。ステップＳ１１６では、残りのファクシミリ後手順を実行し、ステップＳ６に復帰する。
【０１１５】
一方、送信画像が残っている場合は、ステップＳ１１８でＱ信号として（ＰＰＳ−）ＭＰＳ信号を送信する。ここでは、図３のフォーマットによりページナンバー、面情報、本発明の通しページナンバーを通知する。ステップＳ１２０では、残りの中間手順を実行する。
【０１１６】
ステップＳ１２２、ステップＳ１２４、図１４のステップＳ１２６では、ページカウンタ、通しページナンバー、およびページナンバをインクリメントする。ステップＳ１２８では、面フラグに表をセットし、ステップＳ１３０では、送信枚数カウンタＬをインクリメントし、ステップＳ８２（図１１）にループし、上記の送信処理を繰り返す。
【０１１７】
一方、ステップＳ５４において受信側から取得したＤＩＳ信号のＦＩＦのＹビットが１ではなかった場合は、図１４のステップＳ１３２以降において表示の両面、あるいは片面伝送を行なう。
【０１１８】
まずステップＳ１３２では、受信側から取得したＤＩＳ信号のＦＩＦのＸビットが１であるか否かを判断する。ステップＳ１３２が肯定された場合にはステップＳ１３４に進み、否定された場合にはステップＳ１３６に進む。
【０１１９】
ステップＳ１３４では表示の両面通信プロトコルに基づき両面情報の送信を実行し（交互モード）、ステップＳ１３６では画像データを片面情報として送信する。この片面送信では、画信号のあるページ情報のみを送信するのが良い。ステップＳ１３８については既に説明済みである。
【０１２０】
一方、図１０のステップＳ５６において受信側から取得したＤＩＳ信号のＦＩＦのＹ＋１ビットが１であった場合は、ステップＳ５８（図１０）〜Ｓ６６およびステップＳ１４０（図１５）以降において連続モードを用いて本発明の両面片面混在モードによる送信を行なう。ここでは、まず表面の有効画像を送信し、続いて裏面の有効画像を送信する。
【０１２１】
図１０のステップＳ５６が肯定された、つまり、本発明の両面片面混在モード（連続モード）が可能であると判定されると、ステップＳ５８で残りのファクシミリ前手順を実行する。ここでは、本発明の両面片面混在モード（連続モード）による送信を宣言するため、ＤＣＳ信号のＦＩＦのＹ＋１ビットを１として送信する（このとき図２の規約によりＹビットも１とする）。
【０１２２】
さらに、ステップＳ６０では、（送信枚数カウンタＬ、面フラグ）の組み合せに（１、表）をセットする。
【０１２３】
ステップＳ６２では、総ページ数のレジスタに（２Ｋ−全白のページ数）をセットする。
【０１２４】
ステップＳ６４では、ページカウンタ（発信元情報に付加するページ数をカウントするカウンタ）に１をセットする。
【０１２５】
ステップＳ６６では、Ｑ信号（あるいはＥＣＭにおけるＰＰＳ−Ｑ信号）で使用する通しぺージナンバーに１をセットする。この通しぺージナンバーの連続性により受信側では画信号のページ抜けを検出することができる。
【０１２６】
さらに図１５のステップＳ１４０ではページナンバ（Ｑ信号で用いるもの）のカウンタに１をセットする。
【０１２７】
ステップＳ１４４では、（読取枚数カウンタＬ、面フラグ）が示す画情報は全白であるか否かを判断する。ステップＳ１４４が肯定された場合にはステップＳ１４６に進み、同ステップが否定された場合にはステップＳ１６２（図１６）に進む。
【０１２８】
ステップＳ１４６では面フラグが表であるか否かを判断する。ステップＳ１４６が肯定された場合にはステップＳ１４８に進み、同ステップが否定された場合にはステップＳ１６０に進む。
【０１２９】
ステップＳ１４８では、表面で未送信の有効画情報はあるか否かを判断する。ステップＳ１４８が肯定された場合にはステップＳ１５０に進み、同ステップが否定された場合にはステップＳ１５４に進む。
【０１３０】
また、ステップＳ１６０では、裏面で未送信の有効画情報はあるか否かを判断する。ステップＳ１６０が肯定された場合にはステップＳ１５０に進む。ステップＳ１６０が否定された場合、裏面の（有効）画像を全て送信し、送信すべき画像が残っていないのでステップＳ１１４（図１３）の（ＰＰＳ−）ＥＯＰ信号の送信に進む。
【０１３１】
ステップＳ１４８またはＳ１６０で未送信の画像が残っている場合、ステップＳ１５０においてページナンバの値を２だけインクリメントする。これは連続モードでは表面または裏面の送信が連続するためである（図２３参照）。一方、ステップＳ１５２では、送信枚数カウンタＬの値を１だけインクリメントする。
【０１３２】
一方、ステップＳ１４８で表面で未送信の有効画情報が残っていない場合には裏面の送信に移るため、ステップＳ１５４において面フラグに裏をセットする。さらにステップＳ１５６ではページナンバに２をセットする（裏面のページナンバは常に２から始まる）。
【０１３３】
また、ステップＳ１５８では送信枚数カウンタＬに１をセットする。すなわち、裏面の画像データ群は１から数え直すようにするが、連続モードによる両面片面混在モードでは、上記のステップＳ１４８、Ｓ１６０で表面のおよび裏面の画像データ群の最後を検出するようにしているので必ずしも送信枚数カウンタＬは処理に用いなくてもよい。
【０１３４】
ステップＳ１５２またはＳ１５８が終了するとステップＳ１４４にループする。
【０１３５】
一方、ステップＳ１４４で（読取枚数カウンタＬ、面フラグ）が示す画情報は全白ではなかった場合、つまりその面が有効画像であった場合には、図１６のステップＳ１６２において（送信枚数カウンタＬ、面フラグ）が示す画像データを送信する。ここでは、発信元情報として「ページカウンタの値のページ数／総ページ数」のヘッダ（図２３参照）を生成して送信する。
【０１３６】
ステップＳ１６４では、未送信の有効画像があるか否かを判断する。ステップＳ１６４が肯定された場合にはステップＳ１６６に進み、同ステップが否定された場合にはステップＳ１１４（図１３）の（ＰＰＳ−）ＥＯＰ信号の送信に進む。
【０１３７】
ステップＳ１６６では、面フラグが表であるか否かを判断し、面フラグが表であれば図１７のステップＳ１６８に進み、面フラグが裏であれば図１８のステップＳ１８２に進む。
【０１３８】
図１７のステップＳ１６８では、Ｑ信号として図３のフォーマットにより（ＰＰＳ−）ＭＰＳ信号を送信する。ここでは、ページナンバー、面情報、本発明の通しページナンバーを通知する。ステップＳ１７０では、残りの中間手順を実行する。
【０１３９】
ステップＳ１７２では、表面で未送信の有効画情報があるか否かを判断する。ステップＳ１７２が肯定された場合にはステップＳ１７４に進み、同ステップが否定された場合にはステップＳ１７８に進む。
【０１４０】
ステップＳ１７４、ステップＳ１７６では、それぞれ、ページカウンタ、および通しページナンバーの値を１だけインクリメントする。ステップＳ１７６の後、処理はステップＳ１５０に進む。
【０１４１】
また、ステップＳ１７８、Ｓ１８０では、それぞれ、ページカウンタ、および通しページナンバーの値を１だけインクリメントする。ステップＳ１８０の後、処理はステップＳ１５４に進む。
【０１４２】
図１６のステップＳ１６６で面フラグが裏の場合は、図１８のステップＳ１８２において、Ｑ信号として（ＰＰＳ−）ＭＰＳ信号の送信を実行する。ここでは、図３のフォーマットによりページナンバー、面情報、本発明の通しページナンバーを通知する。
【０１４３】
ステップＳ１８４では残りの中間手順を実行し、図１７のステップＳ１７２に進む。
【０１４４】
図８のステップＳ１０でファクシミリ受信が選択されている場合は図１９および図２０の受信処理を行なう。
【０１４５】
受信処理においては、まず図１９のステップＳ１８６において、バス２６を介して、ＮＣＵ２のＣＭＬをオンとし、回線２ａをファクシミリ装置側（ハイブリッド回路６側）に接続する。
【０１４６】
ステップＳ１８８では、ファクシミリ前手順を実行する。ここで、ＤＩＳ信号のＦＩＦのＸ、Ｙ、Ｘ＋１、Ｙ＋１ビットは１とする。ここでは、全ての両面モードおよび本発明の両面片面混在モードをサポートするように宣言しているが、もちろん実際の製品では必要なモードのみサポートするよう宣言するＸ、Ｙ、Ｘ＋１、Ｙ＋１ビットのビットパターンを調整するようにしてもよい。
【０１４７】
続くステップＳ１９０、Ｓ１９４、図２０のステップＳ１９８、Ｓ２００では、送信側から受信したＤＣＳ信号のＦＩＦのＸ、Ｙ、Ｘ＋１、Ｙ＋１ビットが形成するビットパターンを判定する。
【０１４８】
すなわち、ステップＳ１９０では、Ｘ＝１、Ｘ＋１＝０、Ｙ＝０であるか否かを、ステップＳ１９４ではＸ＝１、Ｘ＋１＝０、Ｙ＝１、Ｙ＋１＝０であるか否かを、ステップＳ１９８ではＸ＝１、Ｘ＋１＝１、Ｙ＝０であるか否かを、ステップＳ２０ではＸ＝１、Ｘ＋１＝１、Ｙ＝１、Ｙ＋１＝１であるか否かを順次判定する。
【０１４９】
ステップＳ１９０、Ｓ１９４、Ｓ１９８、Ｓ２００のいずれかが肯定されると、それぞれのステップからステップＳ１９２（標準の交互モード）、ステップＳ１９６（交互モードによる両面片面混在モード）、ステップＳ２０２（標準の連続モード）、ステップＳ２０４（連続モードによる両面片面混在モード）に移行する。
【０１５０】
ステップＳ１９２では、標準の交互モードにより画像データを受信し、記録する。
【０１５１】
ステップＳ１９６では、本発明の両面片面混在モード（交互モード）により、画像データを受信する。この時、（ＰＰＳ−）Ｑ信号の通しページナンバーの連続性を監視することにより、画像データに抜けが生じていないかを確認しながら画像データを受信する。
【０１５２】
ステップＳ２０２では、標準の連続モードにより画像データを受信し、記録する。
【０１５３】
ステップＳ２０４では、本発明の両面片面混在モード（連続モード）により、画像データを受信する。この時、（ＰＰＳ−）Ｑ信号の通しページナンバーの連続性を監視することにより、画像データに抜けが生じていないかを確認しながら画像データを受信する。
【０１５４】
図２４に、ステップＳ１９６、Ｓ２０４の両面片面混在モードにおいてＱ信号で受信した通しページナンバーを利用して行なう通信エラーの有無の検出処理の一例を示す。図２４はステップＳ１９６、Ｓ２０４の両面片面混在モードによる受信処理のおよその流れを示している。
【０１５５】
図２４のステップＳ２１０では、受信ページカウンタＲを０にリセットする。ステップＳ２１２では、１ページぶんの画情報およびＱ信号を受信する（図４〜図７参照）。
【０１５６】
ステップＳ２１４では、受信ページカウンタＲを１だけインクリメントする。そして、ステップＳ２１６でＱ信号で受信した通しページナンバーと受信ページカウンタＲの値が一致しているかどうかを判定する。ここで通しページナンバーと受信ページカウンタＲの値が一致していればステップＳ２１２にループして画情報の受信を続行し、通しページナンバーと受信ページカウンタＲの値が不一致の場合はステップＳ２１８でエラー終了する。
【０１５７】
また、ステップＳ１９６、Ｓ２０４では、送信側が上述のようにしてページカウンタに基づき生成したページ番号を含む発信元情報がヘッダ画情報として送信されるので、記録回路１６によりこの発信元情報が図２３に示すように記録される。受信画像データの記録ページ位置、および記録面はＱ信号で送信されたページナンバー（ＰＮ）と、ページ情報（Ｓｉｄｅ）に基づき従来通り決定することができる。
【０１５８】
なお、上記構成では、発信元情報として用いるページ番号は独立した通しページナンバーのカウンタと同時に歩進するページカウンタに基づき生成するようにしているが、ページカウンタの値は通しページナンバーと一致しているので、通しページナンバーのカウンタの値を用いて生成するようにしてもよい。
【０１５９】
以上のようにして、両面片面混在モードにおいて、全白面の送信を省略し、従来必要であったページ間手順を減らすことができ、通信時間を短縮し、通信コストを低減することができる。
【０１６０】
しかも、本実施形態の両面片面混在モードは、ＤＩＳ／ＤＴＣ／ＤＣＳ信号にＹおよびＹ＋１を新設して送受信間で明示的に宣言しあい、双方が同機能を有している場合のみ実行するようにしているので、通信の互換性を低下させることがない。
【０１６１】
さらに、通しページナンバーを（ＰＰＳ−）ＭＰＳ、（ＰＰＳ−）ＥＯＰなどのＱ信号に送信し、受信側ではこの通しページナンバーの連続性を監視することにより、画像データの抜けなどのエラーが生じていないかを確認しつつ確実に両面片面混在の原稿画像を伝送することができる。
【０１６２】
また、ページカウンタを有効画像情報の送信ごとにインクリメントし（送信を省略する全白面ではインクリメントさせない）、有効画像情報とともに送信し、受信側で記録するようにしているので、従来のように全白ページにもヘッダ情報が付き、しかもそのヘッダ情報のページ番号が全白ページもカウントした値となることがなく、受信側ユーザに奇異な印象を与えることのない自然な発信元情報を記録することができる。
【０１６３】
以上では、ファクシミリ専用機の構成を示したが、本発明はファクシミリ専用機のみならず、他の形態のファクシミリ装置に実施できるのはいうまでもない。たとえば、本発明は、パーソナルコンピュータのような汎用の端末にＦＡＸモデムなどを外付け／内蔵し、ソフトウェア制御によりファクシミリ通信を行なう構成においても実施することができる。その場合、本発明の制御プログラムは、前述のＲＯＭ２４のみならず、ハードディスク、フレキシブルディスク、光ディスク、光磁気ディスクやメモリカードなどのあらゆるコンピュータ読み取り可能な記憶媒体に格納して供給することができる。また、本発明が画像形成装置にＦＡＸ通信インターフェースやネットワークインターフェースを装着したいわゆるデジタル複合機においても実施できるのはもちろんである。
【０１６４】
【発明の効果】
以上の説明から明らかなように、本発明によれば、両面画情報を送信機および受信機間で送受信する両面通信を行なうファクシミリ装置、その制御方法、およびその制御プログラムにおいて、送受信すべき原稿表面または裏面の画情報がほぼ全白の全白画情報であるか、あるいはそれ以外の有効画情報であるかを検出し、全白画情報を検出している場合当該原稿面の画像データの送受信を省略する両面片面混在モードを用いて原稿画像の送受信を行ない、その場合、受信機から送信機に対して、両面情報の受信機能の有無、および前記両面片面混在モードによる片面、両面情報の混在情報の受信機能の有無を通知する通知手段（あるいは通知ステップ）と、送信機から受信機に対して、両面情報を送信する事、および前記両面片面混在モードにより片面、両面情報の混在情報を送信する事を指定する指定手段（あるいは指定ステップ）と、送信機から受信機に対して、中間手順信号により、ページナンバー、面情報、および送受信する有効画情報のみをカウントした通しページ番号を通知する中間手順実行手段（あるいは中間手順実行ステップ）を含み、前記通知手段および指定手段を介した送受信機間の交渉により前記両面片面混在モードが選択された場合、前記中間手順実行手段を介して送受信する有効画情報のみを通しページ番号としてカウントし、カウントした通しページ番号を中間手順により送受信し、受信機側で該通しページ番号の連続性を監視する事により通信エラーの有無を検出する構成を採用しているので、全白面の送信を省略し、従来必要であったページ間手順を減らすことができ、通信時間を短縮し、通信コストを低減することができる。
特に、前記通知手段および指定手段を介して前記両面片面混在モードを用いるか否かをファクシミリ手順信号により送受信機間で交渉し、送受信機が双方とも同モードを有する場合のみ同モードによる原稿画像の送受信を行なう構成を採用することにより、通信の互換性を損なうことなく前記両面片面混在モードを利用して効率の良い通信を行なうことができる。
また、前記両面片面混在モードにおいて、前記中間手順実行手段を介して送受信する有効画情報のみを通しページ番号としてカウントし、カウントした通しページ番号を中間手順により送受信し、受信側では送信された通しページ番号の連続性を監視することにより通信エラーの有無を検出する構成を採用することにより、確実に両面片面混在の原稿画像を伝送することができる。
あるいはさらに、前記両面片面混在モードにおいて、送受信する有効画情報のみをカウントした通しページ番号を含む発信元情報を前記有効画情報の一部として送受信する構成を採用すれば、従来のように全白ページにもヘッダ情報が付き、しかもそのヘッダ情報のページ番号が全白ページもカウントした値となることがなく、受信側ユーザに奇異な印象を与えることのない自然な発信元情報を記録することができる。
【図面の簡単な説明】
【図１】本発明を採用したファクシミリ装置のハードウェア構成を示したブロック図である。
【図２】本発明の両面伝送で用いられるＤＩＳ／ＤＴＣおよびＤＣＳ信号のＦＩＦを示した表図である。
【図３】本発明の両面伝送で用いられるポストメッセージ信号のフォーマットを示した説明図である。
【図４】本発明の非ＥＣＭ通信モードにおける交互モードでの両面通信の様子を示した説明図である。
【図５】本発明のＥＣＭ通信モードにおける交互モードでの両面通信の様子を示した説明図である。
【図６】本発明の非ＥＣＭ通信モードにおける連続モードでの両面通信の様子を示した説明図である。
【図７】本発明のＥＣＭ通信モードにおける連続モードでの両面通信の様子を示した説明図である。
【図８】図１のＣＰＵ２２による送信制御を示したフローチャート図である。
【図９】図１のＣＰＵ２２による送信制御を示したフローチャート図である。
【図１０】図１のＣＰＵ２２による送信制御を示したフローチャート図である。
【図１１】図１のＣＰＵ２２の送信制御を示したフローチャート図である。
【図１２】図１のＣＰＵ２２による送信制御を示したフローチャート図である。
【図１３】図１のＣＰＵ２２による送信制御を示したフローチャート図である。
【図１４】図１のＣＰＵ２２による送信制御を示したフローチャート図である。
【図１５】図１のＣＰＵ２２による送信制御を示したフローチャート図である。
【図１６】図１のＣＰＵ２２による送信制御を示したフローチャート図である。
【図１７】図１のＣＰＵ２２による送信制御を示したフローチャート図である。
【図１８】図１のＣＰＵ２２による送信制御を示したフローチャート図である。
【図１９】図１のＣＰＵ２２による受信制御を示したフローチャート図である。
【図２０】図１のＣＰＵ２２による受信制御を示したフローチャート図である。
【図２１】図１のＣＰＵ２２による通信制御の全体の流れを示したフローチャート図である。
【図２２】図１のＣＰＵ２２による通信制御の全体の流れを示したフローチャート図である。
【図２３】本発明により送信される原稿画像の構成を示した説明図である。
【図２４】図１のＣＰＵ２２による受信時の通信制御の一例を示したフローチャート図である。
【符号の説明】
２  ＮＣＵ
４  電話機
６  ハイブリッド回路
８  変復調器
１０  発呼回路
１２  加算回路
１４  読取回路
１６  記録回路
１８  メモリ回路
２０  操作部
２２  ＣＰＵ
２４  ＲＯＭ
２６  バス
【図１】
0003595795.tif 000002
【図２】
0003595795.tif 000003
【図３】
0003595795.tif 000004
【図４】
0003595795.tif 000005
【図５】
0003595795.tif 000006
【図６】
0003595795.tif 000007
【図７】
0003595795.tif 000008
【図８】
0003595795.tif 000009
【図９】
0003595795.tif 000010
【図１０】
0003595795.tif 000011
【図１１】
0003595795.tif 000012
【図１２】
0003595795.tif 000013
【図１３】
0003595795.tif 000014
【図１４】
0003595795.tif 000015
【図１５】
0003595795.tif 000016
【図１６】
0003595795.tif 000017
【図１７】
0003595795.tif 000018
【図１８】
0003595795.tif 000019
【図１９】
0003595795.tif 000020
【図２０】
0003595795.tif 000021
【図２１】
0003595795.tif 000022
【図２２】
0003595795.tif 000023
【図２３】
0003595795.tif 000024
【図２４】
0003595795.tif 000025